(57)【要約】【課題】  周期性を有するノイズの影響を低減することにより、通信の信頼性を向上させることができる無線受信装置を提供する。【解決手段】  所定の周期でパルス状の信号を有する無線信号を受信するアンテナ２と、前記周期を複数の区間に分割した各区間毎に、アンテナ２により得られた信号レベルを取得する区間レベル取得部６２と、アンテナ２により無線信号が受信されていない状態において区間レベル取得部６２により取得された区間毎の信号レベルを区間毎に記憶する区間レベル記憶部６１と、アンテナ２により受信された区間毎の信号レベルを、区間レベル記憶部６１に記憶されている区間毎の信号レベルに基づいてそれぞれ補正する補正部６３と、補正部６３により補正された各区間毎の信号レベルに応じて無線信号の復調を行う復調部６４とを備えた。【選択図】      図１
2007089053.tif 000002
【特許請求の範囲】
【請求項１】
所定の周期でパルス状の信号を有する無線信号を受信する無線受信装置であって、
前記無線信号を受信する受信部と、
前記周期を複数の区間に分割した各区間毎に、前記受信部により得られた信号レベルを取得する区間レベル取得部と、
前記受信部により前記無線信号が受信されていない状態において前記区間レベル取得部により取得された前記区間毎の信号レベルを前記区間毎に記憶する区間レベル記憶部と、
前記受信部により受信された前記区間毎の信号レベルを、前記区間レベル記憶部に記憶されている前記区間毎の信号レベルに基づいてそれぞれ補正する補正部と、
前記補正部により補正された各区間毎の信号レベルに応じて前記無線信号の復調を行う復調部と
を備えることを特徴とする無線受信装置。
【請求項２】
前記区間レベル取得部は、前記信号レベルを取得する区間を逐次ずらしながら前記複数の区間における前記信号レベルを取得すること
を特徴とする請求項１記載の無線受信装置。
【請求項３】
前記区間レベル取得部は、前記各区間毎の信号レベルを複数の前記周期に渡って取得し、前記複数の周期における前記各区間に対応する区間毎に、当該取得した信号レベルの平均値を算出し、当該算出した区間毎の平均値を前記区間毎の信号レベルとして前記区間レベル記憶部に記憶させること
を特徴とする請求項１又は２記載の無線受信装置。
【請求項４】
前記補正部は、前記受信部により受信された前記区間毎の信号レベルから、前記区間レベル記憶部に記憶されている前記区間毎の信号レベルをそれぞれ減算することにより前記補正を行うこと
を特徴とする請求項１〜３のいずれかに記載の無線受信装置。
【請求項５】
前記補正部は、予め設定された基準値と前記区間レベル記憶部に記憶されている前記区間毎の信号レベルとの差分を、前記受信部により受信された前記区間毎の信号レベルにそれぞれ加算することにより前記補正を行うこと
を特徴とする請求項１〜３のいずれかに記載の無線受信装置。
【請求項６】
前記区間レベル取得部は、予め設定された基準値と前記各区間毎に取得した信号レベルとの差分を、前記区間毎の信号レベルとして前記区間レベル記憶部に記憶させ、
前記補正部は、前記区間レベル記憶部に記憶されている前記区間毎の信号レベルを、前記受信部により受信された前記区間毎の信号レベルにそれぞれ加算することにより前記補正を行うこと
を特徴とする請求項１記載の無線受信装置。
【請求項７】
所定の周期でパルス状の信号を有する無線信号を受信する無線受信方法であって、
前記無線信号を受信部により受信する工程と、
前記周期を複数の区間に分割した各区間毎に、前記受信部により得られた信号レベルを取得する工程と、
前記受信部により無線信号が受信されていない状態において前記取得された前記区間毎の信号レベルを前記区間毎に区間レベル記憶部に記憶させる工程と、
前記受信された前記区間毎の信号レベルを、前記区間レベル記憶部に記憶されている前記区間毎の信号レベルに基づいてそれぞれ補正する工程と、
前記補正された各区間毎の信号レベルに応じて前記無線信号の復調を行う工程と
を備えることを特徴とする無線受信方法。
【発明の詳細な説明】
【技術分野】
【０００１】
本発明は、ウルトラワイドバンド通信の無線信号を受信する無線受信装置、及び無線受信方法に関する。
【背景技術】
【０００２】
近年、高速無線伝送方式の一つとして、所定の周期タイミングに同期したパルス信号からなるパルス信号列を用いて超広帯域な通信を行うウルトラワイドバンド（ＵＷＢ：Ultra Wide Band）通信方式が注目されている。ＵＷＢ通信の一態様としては、搬送波を用いず、例えばパルス幅が１ｎｓｅｃ以下等の極めて細かいパルス信号からなるパルス信号列を用いて通信を行うものが知られている（例えば、特許文献１参照。）。
【０００３】
図５は、背景技術に係るＵＷＢ通信の無線受信装置１００を示すブロック図である。図５に示す無線受信装置１００は、ＵＷＢ通信による無線送信装置から送られてきたＵＷＢ通信信号を受信するアンテナ１０１と、アンテナ１０１で受信されたＵＷＢ通信信号を増幅するアンプ１０２と、制御部１０５から出力された時系列上の所定のタイミングを示すテンプレート信号Ｓｘに基づいてアンプ１０２で増幅された信号Ｓｙを積分することにより、テンプレート信号Ｓｘと信号Ｓｙとの相関を示す積分電圧Ｓｚを生成する積分回路１０３と、その積分電圧Ｓｚをデジタル値に変換するＡＤ変換器１０４と、ＡＤ変換器１０４で得られた相関値に基づきテンプレート信号ＳｘをＵＷＢ通信信号と同期させて積分回路１０３へ出力すると共に、ＡＤ変換器１０４で得られた相関値からデータを復調する制御部１０５とを備えている。
【０００４】
このように構成された無線受信装置１００は、ＵＷＢ通信のパルス信号と同期してテンプレート信号Ｓｘを周期的に生成し、テンプレート信号Ｓｘによって示される所定の期間、例えば１０ｎｓｅｃのウィンドウ期間においてのみＵＷＢ通信のパルス信号を受信することで、ＵＷＢ通信のパルス信号のように一定の周期を有さない背景ノイズを排除して有意なＵＷＢ通信のパルス信号を受信するようにされている。
【特許文献１】特開２００５−２１７８９９号公報
【発明の開示】
【発明が解決しようとする課題】
【０００５】
ところで、ＵＷＢ通信は、搬送波を用いず、例えばパルス幅が１ｎｓｅｃ以下等の極めて短いパルス信号を用いるために、他の無線通信方式と比較して送信電力スペクトル密度が非常に低いため、アンプ１０２を始めとして積分回路１０３、ＡＤ変換器１０４、及び制御部１０５等の内部回路が高感度にされており、これら内部回路によって生じたノイズを信号として拾ってしまう場合がある。特に、これら内部回路において用いられているクロック信号、例えば、制御部１０５においてテンプレート信号Ｓｘを生成するために用いられる基準クロック信号に起因するノイズは周期性を有するため、このような周期性を有するノイズがテンプレート信号Ｓｘによって示されるウィンドウ期間と同期すると、ノイズと受信パルスとの誤認が生じて通信の信頼性が低下するという不都合があった。
【０００６】
本発明は、このような問題に鑑みて為された発明であり、周期性を有するノイズの影響を低減することにより、通信の信頼性を向上させることができる無線受信装置を提供することを目的とする。
【課題を解決するための手段】
【０００７】
上述の目的を達成するために、本発明の第１の手段に係る無線受信装置は、所定の周期でパルス状の信号を有する無線信号を受信する無線受信装置であって、前記無線信号を受信する受信部と、前記周期を複数の区間に分割した各区間毎に、前記受信部により得られた信号レベルを取得する区間レベル取得部と、前記受信部により前記無線信号が受信されていない状態において前記区間レベル取得部により取得された前記区間毎の信号レベルを前記区間毎に記憶する区間レベル記憶部と、前記受信部により受信された前記区間毎の信号レベルを、前記区間レベル記憶部に記憶されている前記区間毎の信号レベルに基づいてそれぞれ補正する補正部と、前記補正部により補正された各区間毎の信号レベルに応じて前記無線信号の復調を行う復調部とを備えることを特徴としている。
【０００８】
また、上述の無線受信装置において、前記区間レベル取得部は、前記信号レベルを取得する区間を逐次ずらしながら前記複数の区間における前記信号レベルを取得することを特徴としている。
【０００９】
また、上述の無線受信装置において、前記区間レベル取得部は、前記各区間毎の信号レベルを複数の前記周期に渡って取得し、前記複数の周期における前記各区間に対応する区間毎に、当該取得した信号レベルの平均値を算出し、当該算出した区間毎の平均値を前記区間毎の信号レベルとして前記区間レベル記憶部に記憶させることを特徴としている。
【００１０】
また、上述の無線受信装置において、前記補正部は、前記受信部により受信された前記区間毎の信号レベルから、前記区間レベル記憶部に記憶されている前記区間毎の信号レベルをそれぞれ減算することにより前記補正を行うことを特徴としている。
【００１１】
また、上述の無線受信装置において、前記補正部は、予め設定された基準値と前記区間レベル記憶部に記憶されている前記区間毎の信号レベルとの差分を、前記受信部により受信された前記区間毎の信号レベルにそれぞれ加算することにより前記補正を行うことを特徴としている。
【００１２】
また、上述の無線受信装置において、前記区間レベル取得部は、予め設定された基準値と前記各区間毎に取得した信号レベルとの差分を、前記区間毎の信号レベルとして前記区間レベル記憶部に記憶させ、前記補正部は、前記区間レベル記憶部に記憶されている前記区間毎の信号レベルを、前記受信部により受信された前記区間毎の信号レベルにそれぞれ加算することにより前記補正を行うことを特徴としている。
【００１３】
そして、本発明の第２の手段に係る無線受信方法は、所定の周期でパルス状の信号を有する無線信号を受信する無線受信方法であって、前記無線信号を受信部により受信する工程と、前記周期を複数の区間に分割した各区間毎に、前記受信部により得られた信号レベルを取得する工程と、前記受信部により無線信号が受信されていない状態において前記取得された前記区間毎の信号レベルを前記区間毎に区間レベル記憶部に記憶させる工程と、前記受信された前記区間毎の信号レベルを、前記区間レベル記憶部に記憶されている前記区間毎の信号レベルに基づいてそれぞれ補正する工程と、前記補正された各区間毎の信号レベルに応じて前記無線信号の復調を行う工程とを備えることを特徴としている。
【発明の効果】
【００１４】
このような構成の無線受信装置及び無線受信方法によれば、受信部により所定の周期でパルス状の信号を有する無線信号が受信され、パルスの周期を複数の区間に分割した各区間毎に、受信部で得られた無線信号の信号レベルが取得される。そして、無線信号が受信されていない状態において取得された区間毎の信号レベルが区間毎に区間レベル記憶部に記憶される。さらに、受信部により受信された区間毎の信号レベルが、区間レベル記憶部に記憶されている区間毎の信号レベルに基づいてそれぞれ補正され、補正された各区間毎の信号レベルに応じて無線信号が復調されるので、補正により周期性を有するノイズの影響が低減され、通信の信頼性を向上させることができる。
【発明を実施するための最良の形態】
【００１５】
以下、本発明に係る実施形態を図面に基づいて説明する。なお、各図において同一の符号を付した構成は、同一の構成であることを示し、その説明を省略する。
【００１６】
図１は、本発明の一実施形態に係る無線受信装置１の構成の一例を示すブロック図である。図１に示す無線受信装置１は、アンテナ２（受信部）と、パルス復調部３と、積分器４と、ＡＤ変換器５と、信号処理部６と、基準クロック生成部７と、位相制御部８とを備えている。アンテナ２は、ＵＷＢ通信による無線信号ＲＦを受信する。
【００１７】
パルス復調部３は、アンテナ２で受信された無線信号をパルスに復調する回路で、アンテナ２で受信された信号を増幅するアンプ３１と、アンプ３１で増幅された信号を濾波する帯域フィルタであるフィルタ３２と、フィルタ３２で濾波された信号を包絡線検波して検波信号Ｓ１として積分器４へ出力する検波器３３とを備えている。そして、パルス復調部３は、アンテナ２で受信された、例えば３．２ＧＨｚの帯域の信号を包絡線検波することにより、約５００ＭＨｚ程度の周波数に周波数変換を行う。
【００１８】
積分器４は、パルス復調部３により周波数変換された検波信号Ｓ１を積分し、その積分値をＡＤ変換器５へ出力する。ＡＤ変換器５は、例えば８ビット（２５５段）のＡＤ変換器で、パルス復調部３で周波数変換された信号をデジタル信号に変換し、信号レベル値ＡＤとして信号処理部６へ出力する。
【００１９】
信号処理部６は、例えば所定の演算処理を実行するＣＰＵ（Central Processing Unit）と、所定の制御プログラムが記憶されたＲＯＭ（Read Only Memory）と、データを一時的に記憶したり区間レベル記憶部６１として用いられたりするＲＡＭ（Random Access Memory）と、これら周辺回路等とを備えて構成され、ＲＯＭに記憶された制御プログラムを実行することにより、パルス信号の周期を複数の区間に分割した各区間毎に、信号レベル値ＡＤを取得すると共にアンテナ２により無線信号が受信されていない状態において取得した区間毎の信号レベルを区間レベル記憶部６１に区間毎に記憶させる区間レベル取得部６２と、アンテナ２により受信された区間毎の信号レベルを、区間レベル記憶部６１に記憶されている区間毎の信号レベルに基づいてそれぞれ補正する補正部６３と、補正部６３により補正された各区間毎の信号レベルに応じて無線信号の復調を行い、受信データＲＤとして外部に出力する復調部６４として機能する。
【００２０】
基準クロック生成部７は、例えば水晶発振器を用いて構成されており、ＵＷＢ通信におけるパルス信号の周期と同じ周期のクロック信号を生成し、位相制御部８へ出力する。
【００２１】
位相制御部８は、基準クロック生成部７から出力されたクロック信号に基づき、パルス復調部３の動作タイミングを制御するゲート信号ＧＴをアンプ３１及び積分器４へ出力する。具体的には、位相制御部８は、ＵＷＢ通信におけるパルス信号のパルス幅と同程度若しくは若干パルス幅が大きく、例えば１０ｎｓｅｃにされたパルス信号を、ウィンドウ期間を示す信号としてＵＷＢ通信におけるパルス信号の周期、例えば５０ｎｓｅｃ周期でゲート信号ＧＴとしてアンプ３１及び積分器４へ出力する。また、位相制御部８は、信号処理部６からの制御信号に応じてゲート信号ＧＴにおけるウィンドウ期間を示すパルス信号のタイミングを変化させるようになっている。
【００２２】
アンプ３１及び積分器４は、ゲート信号ＧＴにおけるパルス信号のタイミングと同期して信号の増幅及び積分を実行し、他のタイミングでは信号増幅及び積分を行わない。これにより、パルス復調部３によって、ゲート信号ＧＴにおけるパルス信号のタイミング、すなわちウィンドウ期間においてアンテナ２で受信された無線信号ＲＦが検波され、積分器４で積分され、さらにその積分値がＡＤ変換器５によって信号レベル値ＡＤに変換されて信号処理部６へ出力されるようになっている。
【００２３】
次に、上述のように構成された無線受信装置１の動作について説明する。図２は、無線受信装置１の動作を説明するための信号波形図である。図２（ａ）は、ノイズの影響を受けない理想的な環境下における信号波形の一例を示し、図２（ｂ）は、周期的な回路ノイズが受信信号に重畳された場合の信号波形の一例を示している。
【００２４】
図２（ａ）に示すように、ノイズの影響を受けない理想的な環境下では、パルス復調部３によって、アンテナ２で受信された無線信号ＲＦがパルス復調され、パルス復調部３から積分器４へ、検波信号Ｓ１として復調パルスＰ１が出力される。そして、位相制御部８から出力されたゲート信号ＧＴのパルス信号のタイミング、すなわちウィンドウ期間Ｔ１において、積分器４によって復調パルスＰ１が積分され、ＡＤ変換器５へ出力される。
【００２５】
一方、図２（ｂ）に示すように、周期的な回路ノイズが受信信号に重畳された場合には、パルス復調部３の検波信号Ｓ１には、復調パルスＰ１以外にノイズが周期的に重畳され、ノイズの平均値レベルが上昇する。この場合、復調パルスＰ１の波高値は、ノイズの平均値レベルから復調パルスＰ１のピークまでの値となるので、ノイズの平均値レベルが上昇することにより復調パルスＰ１の波高値が減少し、復調パルスＰ１のエネルギーが減少する結果、復調パルスＰ１が積分器４により積分されて得られる積分値が低下し、ＡＤ変換器５により得られる信号レベル値ＡＤも低下する。
【００２６】
また、図２（ｂ）に示すように、復調パルスＰ１の波高値とノイズの波高値との差が小さくなるので、ゲート信号ＧＴにおけるウィンドウ期間Ｔ１がノイズと同期してノイズを受信パルスと誤認するおそれがある。
【００２７】
そこで、無線受信装置１では、まず、図略のＵＷＢ無線送信装置から無線信号ＲＦが送信されておらず、従ってアンテナ２により無線信号ＲＦが受信されていない状態におけるＡＤ変換器５の信号レベル値ＡＤ、すなわち内部回路における周期ノイズに起因する各ウィンドウ期間毎の信号レベル値ＡＤが区間レベル取得部６２によって取得される。
【００２８】
図３は、区間レベル取得部６２の動作を説明するための信号波形図である。まず、アンテナ２により無線信号ＲＦが受信されていない状態では、パルス復調部３からの検波信号Ｓ１には復調パルスＰ１は含まれておらず、従ってパルス復調部３からは、ノイズに起因する検波信号Ｓ１が積分器４へ出力される。
【００２９】
そして、まず、区間レベル取得部６２からの制御信号に応じて、位相制御部８からウィンドウ期間Ｔ１の位相でゲート信号ＧＴがアンプ３１と積分器４とへ出力され、積分器４によって、ウィンドウ期間Ｔ１のタイミングで検波信号Ｓ１が積分され、その積分値に応じた信号レベル値ＡＤが、ＡＤ変換器５から区間レベル取得部６２へ出力される。区間レベル取得部６２は、予め設定された所定時間、例えば８μｓｅｃの間、位相制御部８からウィンドウ期間Ｔ１の位相でゲート信号ＧＴを出力させる。そして、区間レベル取得部６２は、８μｓｅｃの間に得られたウィンドウ期間Ｔ１における信号レベル値ＡＤを平均し、その平均値をウィンドウ期間Ｔ１における平均レベル値ＡＶＴ１として区間レベル記憶部６１に記憶させる。
【００３０】
次に、区間レベル取得部６２は、位相制御部８からウィンドウ期間Ｔ１とは位相のずれたタイミング、例えばウィンドウ期間Ｔ１より１ｎｓｅｃ遅れたウィンドウ期間Ｔ２の位相でゲート信号ＧＴを所定時間、例えば８μｓｅｃの間出力させる。そして、区間レベル取得部６２によって、８μｓｅｃの間複数周期に渡って得られたウィンドウ期間Ｔ２における信号レベル値ＡＤが平均され、その平均値がウィンドウ期間Ｔ２における平均レベル値ＡＶＴ２として区間レベル記憶部６１に記憶される。
【００３１】
同様にして、区間レベル取得部６２によって、ウィンドウ期間が１ｎｓｅｃずつ逐次ずらされて、復調パルスＰ１の周期である５０ｎｓｅｃ内に設けられた５０の各ウィンドウ期間毎に得られた平均レベル値ＡＶＴ１〜ＡＶＴ５０、すなわち内部回路における周期ノイズに起因する各ウィンドウ期間毎の信号レベル値が、区間レベル記憶部６１に記憶される。この場合、ウィンドウ期間Ｔ１〜Ｔ５０が、請求項における複数の区間の一例に相当している。
【００３２】
なお、区間レベル取得部６２は、区間レベル記憶部６１のアドレスに各ウィンドウ期間（区間）を対応させて、各ウィンドウ期間毎の平均レベル値ＡＶＴ１〜ＡＶＴ５０を記憶させてもよく、各ウィンドウ期間を示す識別データと平均レベル値ＡＶＴ１〜ＡＶＴ５０とを対応させて区間レベル記憶部６１に記憶させてもよい。
【００３３】
次に、アンテナ２によって受信された無線信号ＲＦが、パルス復調部３でパルス復調され、積分器４で積分され、ＡＤ変換器５で信号レベル値ＡＤとして補正部６３へ出力される。そして、補正部６３によって、各ウィンドウ期間Ｔ１〜Ｔ５０における信号レベル値ＡＤから区間レベル記憶部６１に記憶されている平均レベル値ＡＶＴ１〜ＡＶＴ５０、すなわち内部回路における周期ノイズに起因する各ウィンドウ期間毎の信号レベル値がそれぞれ減算されることにより補正され、その補正後の補正信号Ｓ２が復調部６４で復調されて受信データＲＤとして外部へ出力される。
【００３４】
これにより、ＡＤ変換器５から出力される信号レベル値ＡＤに、内部回路で生じた周期性を有するノイズが重畳されている場合であっても、補正部６３によって、区間レベル記憶部６１に記憶された平均レベル値ＡＶＴ１〜ＡＶＴ５０、すなわち内部回路における周期ノイズに起因する各ウィンドウ期間毎の信号レベル値が、信号レベル値ＡＤから減算されて補正され、周期性を有するノイズの影響が低減されるので、通信の信頼性を向上させることができる。
【００３５】
なお、区間レベル取得部６２は、平均レベル値ＡＶＴ１〜ＡＶＴ５０を区間レベル記憶部６１に記憶させる例に限られず、ウィンドウ期間Ｔ１〜Ｔ５０における信号レベル値ＡＤをそのまま区間レベル記憶部６１に記憶させ、補正部６３はウィンドウ期間Ｔ１〜Ｔ５０における信号レベル値ＡＤを用いて受信信号の補正を行ってもよいが、平均レベル値ＡＶＴ１〜ＡＶＴ５０を用いることにより、内部回路における周期ノイズに起因する各ウィンドウ期間毎の信号レベル値の測定精度を向上させ、補正精度を向上させることで通信の信頼性を向上させることができる。
【００３６】
また、補正部６３は、予め設定された基準値ＲＥＦと区間レベル記憶部６１に記憶されている平均レベル値ＡＶＴ１〜ＡＶＴ５０との差分を、各ウィンドウ期間Ｔ１〜Ｔ５０における信号レベル値ＡＤにそれぞれ加算することにより補正信号Ｓ２を生成するようにしてもよい。具体的には、例えば、各ウィンドウ期間Ｔ１〜Ｔ５０における信号レベル値ＡＤをＡＤ１〜ＡＤ５０として表すと、補正部６３は、以下の式（１）に基づいて、補正信号Ｓ２を生成してもよい。
【００３７】
Ｓ２＝ＡＤｎ＋（ＲＥＦ−ＡＶＴｎ）  ・・・（１）
（ただし、ｎ＝１，２，３，・・・，５０）
この場合、基準値ＲＥＦを例えば「２４０」とすると、図４に示すように、無線信号ＲＦが受信されていない状態における補正信号Ｓ２は、およそ基準値ＲＥＦに等しく「２４０」となる。そうすると、例えば復調パルスＰ１が負の値を取る場合であっても補正信号Ｓ２は正の値となるので信号処理部６は負の値を処理する必要がなく、信号処理が容易となる。
【００３８】
また、区間レベル取得部６２は、以下の式（２）で示すように、予め設定された基準値ＲＥＦと平均レベル値ＡＶＴ１〜ＡＶＴ５０との差分を、各ウィンドウ期間Ｔ１〜Ｔ５０における補正値Ｃ１〜Ｃ５０として区間レベル記憶部６１に記憶させてもよい。
【００３９】
Ｃｎ＝ＲＥＦ−ＡＶＴｎ  ・・・（２）
（ただし、ｎ＝１，２，３，・・・，５０）
そして、補正部６３は、以下の式（３）で示すように、区間レベル記憶部６１に記憶されている各ウィンドウ期間毎の補正値Ｃ１〜Ｃ５０を、各ウィンドウ期間Ｔ１〜Ｔ５０における信号レベル値ＡＤ１〜ＡＤ５０にそれぞれ加算することにより補正信号Ｓ２を生成してもよい。
【００４０】
Ｓ２＝ＡＤｎ＋Ｃｎ  ・・・（３）
（ただし、ｎ＝１，２，３，・・・，５０）
これにより、補正部６３は、無線信号ＲＦの補正を行う際に、式（３）の演算処理を行えばよいので、式（１）の演算処理を行う場合よりも無線信号ＲＦの受信動作時における補正部６３の演算処理負荷を軽減することができる。
【００４１】
なお、無線信号ＲＦにおけるパルス周期において、５０個のウィンドウ期間（区間）を設ける例を示したが、各ウィンドウ期間の位相差を縮小してウィンドウ期間の数を増加させるほど、補正精度を向上させ、通信の信頼性を向上させることができ、ウィンドウ期間の数（位相差）は適宜設定すればよい。
【００４２】
また、隣接するウィンドウ期間を重複させる例を示したが、隣接するウィンドウ期間が重複せず、連続するように設定してもよい。この場合、無線信号ＲＦのパルス周期におけるウィンドウ期間の数を減少させることができる。
【００４３】
また、ウィンドウ期間を、ＵＷＢ通信におけるパルス信号のパルス幅と同程度若しくは若干パルス幅が大きい１０ｎｓｅｃに設定する例を示したが、ウィンドウ期間を増大させることで無線信号ＲＦのパルス周期におけるウィンドウ期間の数を減少させることができる。この場合、ウィンドウ期間を増大させるとノイズ成分が積分される時間も増大し、Ｓ／Ｎ比（信号対ノイズ比）が低下するので、ウィンドウ期間の数を増大させることによる回路負荷の増大と、ウィンドウ期間を増大させることによるＳ／Ｎ比の低下とのバランスによって、適宜ウィンドウ期間を設定すればよい。
【図面の簡単な説明】
【００４４】
【図１】本発明の一実施形態に係る無線受信装置の構成の一例を示すブロック図である。
【図２】図１に示す無線受信装置の動作を説明するための信号波形図である。図２（ａ）は、ノイズの影響を受けない理想的な環境下における信号波形の一例を示し、図２（ｂ）は、周期的な回路ノイズが受信信号に重畳された場合の信号波形の一例を示している。
【図３】図１に示す区間レベル取得部の動作を説明するための信号波形図である。
【図４】図１に示す補正部により得られる補正信号の一例を示す図である。
【図５】背景技術に係るＵＷＢ通信の無線受信装置を示すブロック図である。
【符号の説明】
【００４５】
１  無線受信装置
２  アンテナ
３  パルス復調部
４  積分器
５  ＡＤ変換器
６  信号処理部
７  基準クロック生成部
８  位相制御部
３１  アンプ
３２  フィルタ
３３  検波器
６１  区間レベル記憶部
６２  区間レベル取得部
６３  補正部
６４  復調部
【図１】
2007089053.tif 000003
【図２】
2007089053.tif 000004
【図３】
2007089053.tif 000005
【図４】
2007089053.tif 000006
【図５】
2007089053.tif 000007